(57)【特許請求の範囲】
【請求項１】
各々円形の輪郭形状を有し、下から上へ本体、回転板、開度表示板、偏心板の順に組み付けられるように構成され、中心穴を有する前記本体は、外縁部に開度目盛表示部を、上面に形成した環状突縁の外周には外歯歯車を、下面には弁への取付部を形成し、前記外歯歯車と噛み合って遊星差動歯車を構成すべくこの外歯歯車より大径でかつ歯数を増やした内歯歯車を設けた前記回転板の上面に環状突起を形成し、この環状突起の外周に全周的に分布して複数の突起部を突設し、これら突起部とそれぞれ緩く嵌合する切欠きを下面に欠設した前記開度表示板の上面に前記開度目盛表示部と共働して弁の開度を示す指標を設け、中心に弁棒貫通穴を有し、上面にこの弁棒に嵌合する弁キャップの固定部を、また下面に前記本体の中心穴に密嵌する突縁を形成した前記偏心板には、前記回転板の環状突起を嵌合させるカム状の回転板はめ込み部を形成したことを特徴とする遊星差動歯車を使用した弁装置の開度計。
【請求項２】
前記本体に形成した弁への取付部は、開度計を装着すべき弁の大小に応じて前記本体の下面外周部又は内周部に突設した弁のパッキン押えリブ等の隆起部に嵌合する切り欠き又は挟持用突起部である請求項１記載の弁装置の開度計。
【請求項３】
前記偏心板の一回転当り開度表示板の回転角度を、前記内歯歯車の歯数をＡ、前記外歯歯車の歯数をＢとした場合において、弁キャップと開度表示板が同一方向へ回転し、３６０・｛（ＡーＢ）／Ａ｝で表わせるようにした請求項１記載の弁装置の開度計。
【請求項４】
前記弁キャップ固定部を、前記偏心板の上面に形成し前記弁キャップ外周面に係合する放射状のキャップ固定用リブと、前記偏心板の上面に立ち上げた立壁の一部に設けられ前記弁キャップを弁棒に固定する固定ボルトが一部突出する欠設部によって構成してなる請求項１記載の弁装置の開度計。
【発明の詳細な説明】
【０００１】
【産業上の利用分野】
この発明は、ソフトシール仕切弁のほか、バタフライ弁等の弁装置の開度計に関する。
【０００２】
【従来の技術】
遊星差動歯車を使用した開度計の場合、従来の技術では、弁棒の回転方向と開度指示用指標の回転が逆回転となり、弁を操作した場合、開度計を頼りに弁を操作すると操作ミスになる可能性があった。
【０００３】
また、従来の技術では、回転伝達の方法として、弁キャップ自体に加工を施したものや、弁棒に直接ボルトで圧着したものがあるが、弁キャップの改造では専用の弁キャップが必要であり、弁棒への直接のボルト固定は、弁棒を傷つけ、あるいはボルトの緩みなどにより、回転伝達不能となるおそれがあった。
【０００４】
また弁キャップ上部の角部に角に切り欠いた回転伝達板をはめ込んだ構造のものがあるが、弁キャップを回転させる際に、重量のあるキーハンドル等を上部の角部に装着し回転させるため、衝撃により壊れるおそれがあった。
【０００５】
【発明が解決しようとする課題】
この発明は上述の従来技術の不都合、不具合な点を改善し、弁棒と開度指示用指標とを同一方向に回転させることにより、操作ミスを防止することができるようにすると共に、弁キャップや弁棒に改造又は傷をつけることなく、弁棒の回転を開度計へ伝えることができるようにするものである。
【０００６】
【課題を解決するための手段】
請求項１に記載の発明では、各々円形の輪郭形状を有し、下から上へ本体、回転板、開度表示板、偏心板の順に組み付けられるように構成され、中心穴を有する前記本体は、外縁部に開度目盛表示部を、上面に形成した環状突縁の外周には外歯歯車を、下面には弁への取付部を形成し、前記外歯歯車と噛み合って遊星差動歯車を構成すべくこの外歯歯車より大径でかつ歯数を増やした内歯歯車を設けた前記回転板の上面に環状突起を形成し、この環状突起の外周に全周的に分布して複数の突起部を突設し、これら突起部とそれぞれ緩く嵌合する切欠きを下面に欠設した前記開度表示板の上面に前記開度目盛表示部と共働して弁の開度を示す指標を設け、中心に弁軸貫通穴を有し、上面にこの弁棒に嵌合する弁キャップの固定部を、また下面に前記本体の中心穴に密嵌する突起を形成した前記偏心板には、前記回転板の環状突起を嵌合させるカム状の回転板はめ込み部を形成した。
【０００７】
請求項２に記載の発明においては、請求項１記載の開度計において、前記本体に形成した弁への取付部は、開度計を装着すべき弁の大小に応じて前記本体の下面外周部又は内周部に突設した弁のパッキン押えリブ等の隆起部に嵌合する切り欠き又は挟持用突起部とした。
【０００８】
請求項３に記載の発明においては、請求項１記載の開度計において、前記偏心板の一回転当り開度表示板の回転角度を、前記内歯歯車の歯数をＡ、前記外歯歯車の歯数をＢとした場合において、外歯歯車を固定し、内歯歯車を公転せることにより、弁キャップと開度表示板が同一方向へ回転し、３６０・｛（ＡーＢ）／Ａ｝で表わせるようにした。
【０００９】
請求項４に記載の発明においては、請求項１記載の開度計において、前記弁キャップ固定部を、前記偏心板の上面に形成し前記弁キャップ外周面に係合する放射状のキャップ固定用リブと、前記偏心板の上面に立ち上げた立壁の一部に設けられ前記弁キャップを弁棒に固定する固定ボルトが一部突出する欠設部によって構成した。
【００１０】
【発明の実施の形態】
次にこの発明の開度計を添付図面にしたがって説明する。
先ず図１はこの発明の構成部品を分離して示す展開斜視図であって、各々円形の輪郭形状を有する各構成部分は、図面の下から上へ、本体１、回転板２、開度表示板３、偏心板４の順に組み付けられるように構成されている。
【００１１】
上記図１において、中心穴５を有する前記本体１の外縁部には開度目盛表示部６が構成されており、前記本体１の中心穴５の周りに環状突縁７が突設されており、この環状突縁７の外周には外歯歯車８が形成されている。
【００１２】
前記環状突縁７の内側には、後で図２、３によって詳述する小口径の弁の一部を構成するパッキン押さえ９の開度計固定用リブ１０に嵌合する取付部としての切欠き１１を円周上数個所（図示の例では４個所）に穿設してあり、また図１にはあらわれていないが大口径の弁の一部を構成するパッキン押さえ１２（図４、５）に構成される開度計固定用リブ１３に嵌合する取付部としての突起部１４が本体１の下面に突設されている。
【００１３】
図１２に戻って、前記本体１上に嵌合する回転板２の下面には、前記外歯歯車８と噛み合って遊星差動歯車を構成すべく、この外歯歯車８より大径でかつ歯数を増やした内歯歯車１５が設けられ、この環状突起１６の外周に全周的に分布して複数個の突起部１７（図示の例では４個。）を突設されている。
【００１４】
前記突起部１７とそれぞれ緩く嵌合する切欠き１８を下面に欠設した前記開度表示板３の上面に、前記開度目盛表示部６と共働して弁の開度を示す指標としての矢印１９を設ける。なお前記開度表示板３の切り欠き１８の幅は、回転板２の突起部１７の幅十偏心量×２とする。
【００１５】
前記偏心板４の中心には弁棒貫通穴２０が設けられ、上面に図９、１０によって詳述する弁棒２１に嵌合する弁キャップ２２の固定部としてのキャップ固定用リブ２３及び上面に立ち上げた立壁２４の一部に設けられ前記弁キャップを弁棒軸２１に固定する固定ボルト２５が一部突出する欠設部２６が形成される。
【００１６】
一方、前記偏心板４の下面には前記本体１の中心穴５に密嵌すべき突縁２７（図７に示すようにこの突縁２７は多数の切込み２９を有する環状突縁であって、前記中心穴５に弾性的に圧縮された状態で密嵌されるものである）が突設されると共に、前記回転板２の環状突起１６を嵌合させる、カム状の回転板はめ込み部２８を形成する（図７、８参照）。
【００１７】
図９及び図１０は偏心板４に対する弁キャップ２２の固定状態を示すものであって、偏心板４の弁棒貫通穴２０に弁軸２１を貫通させた状態で弁キャップ２２を前記弁棒２１に嵌装し、固定用ボルト２５で弁キャップ２２を弁棒２１に締着し、この際前記固定用ボルト２５が欠設部２６から一部突出するようにして、弁キャップ２２の回動に対して偏心板４が一緒に回動するようにするのである。
【００１８】
前記本体１の下面に設けられた切欠き１１又は突起部１４を、弁のパッキン押さえ９又は１２の開度計固定用リブ１０又は１３に嵌合することにより開度計と弁とを固定する（図２、３又は図４、５参照）。
【００１９】
前記本体１上には回転板２、開度表示板３及び偏心板４が組み上げられた状態で、弁棒２１の回転はキャップ固定用ボルト２５を介して偏心板４へ伝えられ、本体１と回転板２にはそれぞれ歯数の異なる外歯歯車８と内歯歯車１５とが刻設されており、本体１側の外歯歯車８は固定されており、回転板２側の内歯歯車１５は回転自在とされており、その位置関係は図６に示すようになっている。
【００２０】
前記内歯歯車１５は外歯歯車８に一部分が噛み合うようにして回転するように、偏心板４によって回転板２を偏心させており、その態様は図７及び図８に示すとおりである。このようにして、偏心板４が回転することによりこの偏心板４によって偏心されている内歯歯車１５は外歯歯車８に一部分が噛み合いながら回転する。
【００２１】
前記内歯歯車１５の歯数を外歯歯車８の歯数より１歯ないし２歯増やすことにより、内歯歯車１５が位置固定の外歯歯車８に噛み合いながら偏心板４によって公転すると、回転板２は内歯歯車１５と外歯歯車８の歯数比に応じて偏心板４（弁棒２１、弁キャップ２２）と同一方向へ自転する。
【００２２】
偏心板４が１回転するときの開度表示板３の回転角度は、内歯歯車１５の歯数をＡ、外歯歯車８の歯数をＢとした場合において、外歯歯車を固定し、内歯歯車を公転させることにより、弁キャップと開度表示板が同一方向へ回転し、３６０・｛（ＡーＢ）／Ａ｝で表わすことができる。
【００２３】
前記回転板２の自転は、この回転板２に設けてある突起部１７が、開度表示板３に設けてある切欠き１８に噛み合っていることにより、開度表示板３に伝えられ、この開度表示板３には開度指示用指標すなわち矢印１９が設けられており、本体１には開度目盛表示部６の目盛りを表示しておくことによって、弁装置の開度計としての機能を果たすのである。
【００２４】
実用上、弁への固定方法を変えることにより、この発明を仕切弁、バタフライ弁等の開度計として利用することが可能である。
【００２５】
【発明の効果】
この発明の上記構成からなる弁装置の開度計によれば、弁の弁棒と開度指示用指標（矢印）とが同一方向に回転するため操作ミスを生じないという操作上の効果を奏すると共に、弁キャップや弁棒を改造したり傷付けたりすることなく取り付け可能であるという実用上の効果も顕著である。
【図面の簡単な説明】
【図１】この発明の開度計の各部分に分解して示す展開斜視図である。
【図２】小口径の場合の弁のパッキン押えと開度計の本体とを分離して示す斜視図である。
【図３】図２に示す各部分の組立斜視図である。
【図４】大口径の場合の弁のパッキン押えと開度計の本体とを分離して示す斜視図である。
【図５】図４に示す各部分の組立斜視図である。
【図６】本体の外歯歯車と回転板の内歯歯車との関係を示す平面図である。
【図７】偏心板と回転板とを分離して示す断面図である。
【図８】偏心板の下面図である。
【図９】弁キャップと偏心板とを分離して示す斜視図である。
【図１０】図９に示す弁キャップと偏心板との組立斜視図である。
【符号の説明】
１      本体
２      回転板
３      開度表示板
４      偏心板
５      中心穴
６      開度目盛表示部
７      環状突縁
８      外歯歯車
１１    切欠き（取付部）
１４    突起部（取付部）
１５    内歯歯車
１６    環状突起
１７    突起部
１８    切欠き
１９    矢印（指標）
２７    突縁
２８    回転板はめ込み部（カム）
２９    切込み
【図１】
0003742708.tif 000002
【図２】
0003742708.tif 000003
【図３】
0003742708.tif 000004
【図４】
0003742708.tif 000005
【図５】
0003742708.tif 000006
【図６】
0003742708.tif 000007
【図７】
0003742708.tif 000008
【図８】
0003742708.tif 000009
【図９】
0003742708.tif 000010
【図１０】
0003742708.tif 000011